(57)【要約】【課題】ギヤのずれが発生して可動框が傾斜したとしても可動框を元の垂直状態に容易に復帰させることを可能とする。【解決手段】枠体２に開閉自在に設けられた障子３ａ，３ｂと、ロール式遮蔽装置６とを有している。ロール式遮蔽装置６は、巻取可能な遮蔽材７と、遮蔽材７を巻取って収納する収納部８と、遮蔽材７を前記収納部８から引き出し入れする可動框９と、可動框９の両端部を摺動自在に案内する案内部１０，１０と、それぞれの案内部１０，１０に設けられたラック１１，１１と、それぞれのラック１１，１１に噛合するピニオン１２，１２と、可動框９に沿って回転自在に支持され両ピニオン１２，１２を連結する連動軸１３とを備えている。ラック１１における可動框９の全開側停止位置近傍と全閉側停止位置近傍の何れか一方または両方にピニオン１２の回転を許容する切欠部４０を設けている。【選択図】          図２
2004278071.tif 000002
【特許請求の範囲】
【請求項１】
巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記ラックにおける可動框の全開側停止位置近傍と全閉側停止位置近傍の何れか一方または両方にピニオンの回転を許容する切欠部を設けたことを特徴とするロール式遮蔽装置。
【請求項２】
建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記ラックにおける可動框の全開側停止位置近傍と全閉側停止位置近傍の何れか一方または両方にピニオンの回転を許容する切欠部を設けたことを特徴とする開口部装置。
【発明の詳細な説明】
【０００１】
【発明の属する技術分野】
本発明は、ロール式遮蔽装置及び開口部装置に係り、特に一方のピニオンに無理な力が加わった時に発生するギヤのずれを容易に直すことができるようにしたロール式遮蔽装置及び開口部装置に関する。
【０００２】
【従来の技術】
開口部装置としては、建物の開口に設けられる枠体と、この枠体内に開閉自在に設けられた障子と、前記枠体に設けられるロール式網戸とを備えたものが知られている（例えば、特公昭５２−１５０８９号公報参照）。前記ロール式網戸は、網体を巻取って収納する収納部と、網体の先端部を保持し網体を収納部から引き出し入れして網戸の開閉を行う可動框と、この可動框の両端部を摺動自在に案内する案内部とを有している。
【０００３】
また、ロール式網戸としては、前記それぞれの案内部にラックを設け、それぞれのラックに噛合するピニオンを前記可動框の両端部に配し、両ピニオンを連動軸で連結することにより、可動框の長手方向の何れの位置を握って操作しても可動框が傾くこと無く一定の姿勢を保ったまま平行に且つ円滑に移動できるようにしたものも提案されている。
【０００４】
【特許文献１】
特公昭５２−１５０８９号公報
【０００５】
【発明が解決しようとする課題】
しかしながら、前記ロール式網戸ないし該ロール式網戸を備えた開口部装置においては、万が一、片方（一方）のピニオン１２が例えばごみを噛んで動かなくなった時に無理に可動框９を動かそうとしたり、或いは可動框９の片側に通常の操作以上の強い衝撃を加えたりした場合、一方のピニオン１２とラック１１のギヤ（噛合部）に強い力が加わり、ギヤのずれ（隣のギヤへの歯飛び）が発生することがある。このようなギヤのずれが発生すると、可動框が傾斜してしまうため、見栄えが悪いだけでなく、遮蔽性能が落ちて虫が侵入し易くなるという問題がある。そして、両ピニオンがラックにそれぞれ噛合しているため、ギヤのずれが発生すると、可動框を元の垂直状態に復帰させることが困難であった。
【０００６】
本発明は、前記事情を考慮してなされたもので、一方のピニオンに無理な力が加わってギヤのずれが発生し、可動框が傾斜したとしても可動框を元の垂直状態に容易に復帰させることができるロール式遮蔽装置及び開口部装置を提供することにある。
【０００７】
【課題を解決するための手段】
本発明のうち、請求項１の発明は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記ラックにおける可動框の全開側停止位置近傍と全閉側停止位置近傍の何れか一方または両方にピニオンの回転を許容する切欠部を設けたことを特徴とする。
【０００８】
請求項２の発明は、建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記ラックにおける可動框の全開側停止位置近傍と全閉側停止位置近傍の何れか一方または両方にピニオンの回転を許容する切欠部を設けたことを特徴とする。
【０００９】
【発明の実施の形態】
以下に、本発明の実施の形態を添付図面に基いて詳述する。図１は本発明の実施の形態を示す開口部戸の縦断面図、図２は同開口部装置の横断面図、図３はロール式網戸の使用状態を示す横断面図、図４は可動框が全開位置にある時のピニオンとラックの構成を示す概略的説明図、図５は網体を概略的に示す図で、（ａ）は正面図、（ｂ）は（ａ）のＡ−Ａ線断面図、（ｃ）は（ａ）のＢ−Ｂ線断面図、図６は可動框の一端を概略的に示す斜視図である。
【００１０】
図１〜図３に示すように、開口部装置１は、建物の開口に設けられるサッシ枠である枠体２と、この枠体２内に開閉自在に設けられた障子３ａ，３ｂと、前記枠体２に設けられるロール式遮蔽装置であるロール式網戸６とを備えている。前記枠体２は、例えばアルミ押出形材からなる上枠２ａ、下枠２ｂ及び左右の縦枠２ｃ，２ｄからなっている。図示例の開口部装置１は引違い窓サッシとして構成されており、枠体２内に内外の障子３ａ，３ｂが横方向に引違い状に開閉自在に設けられている。障子３ａ，３ｂは、例えばアルミ押出形材からなる上框４ａ、下框４ｂ及び左右の縦框４ｃ，４ｄからなる框体４内にパネル例えばガラスパネル５を装着してなる。
【００１１】
前記ロール式網戸６は、巻取可能な遮蔽材である網体７と、この網体７を巻取って収納する収納部８と、その網体７の先端部を保持し網体７を収納部８から引き出し入れして網戸６の開閉を行う可動框（戸先框ともいう）９と、この可動框９の両端部を摺動自在に案内する案内部１０，１０と、それぞれの案内部１０に設けられたラック１１と、それぞれのラック１１に噛合するピニオン１２と、前記可動框９に沿って回転自在に支持され前記両ピニオン１２，１２を連結する連動軸１３とを備えている。前記収納部８内には網体７を巻取る巻取部である巻取軸１５が回転自在に設けられ、この巻取軸１５が網体７を巻取る方向に付勢手段である図示しないバネにより付勢されている。
【００１２】
図示例の開口部装置１は枠体２の左右にロール式網戸６，６を備えている。左側のロール式網戸６は図３に示すように開状態にある外障子３ｂの戸先框４ｄの室内面に取付けた戸先補助框１６との間を網体７で覆うようになっており、右側のロール式網戸６は開状態の内障子３ａの戸先框４ｄとの間を網体７で覆うようになっている。左側のロール式網戸６の可動框９には外障子３ｂの戸先補助框１６との間を塞いで虫の侵入を防止するヒレ状の第１の虫除け部材１７ａ及び上枠２ａ、下枠２ｂとの間を塞いで虫の侵入を防止するヒレ状の第２の虫除け部材１７ｂが設けられている。右側のロール式網戸６の可動框９には内障子３ａの戸先框４ｄとの間を塞いで虫の侵入を防止するヒレ状の第１の虫除け部材１７ａ及び上枠２ａ、下枠２ｂとの間を塞いで虫の侵入を防止するヒレ状の第２の虫除け部材１７ｂが設けられている。なお、虫除け部材１７ａ，１７ｂはモヘアからなっていても良い。
【００１３】
図示例では、収納部８は左右の縦枠２ｃ，２ｄの室内側にそれぞれ別体で設けられ、案内部１０は上枠２ａ及び下枠２ｂの室内側にそれぞれ別体で設けられている。具体的には、サッシ枠である枠体２の室内面にロール式網戸６専用の枠体１８が固着具であるネジ１９ａと連結金具１９ｂを介して着脱自在に取付けられている。このロール式網戸６の枠体１８は、例えばアルミ押出形材からなる上枠材１８ａ、下枠材１８ｂ及び左右の縦枠材１８ｃ，１８ｄからなり、上枠材１８ａと下枠材１８ｂは上枠２ａと下枠２ｂの室内面に取付けられ、左右の縦枠材１８ｃ，１８ｄは左右の縦枠２ｃ，２ｄの室内面に取付けられている。
【００１４】
そして、左右の縦枠材１８ｃ，１８ｄに収納部８，８がそれぞれ設けられ、上枠材１８ａと下枠材１８ｂに左右の可動框９，９に共通の案内部１０，１０が設けられている。上枠材１８ａと下枠材１８ｂの対向面には、長手方向（左右方向）に沿って案内部１０としてのガイド溝２０が設けられている。前記収納部８には網体７を引き出すための引出口部２１が設けられているが、この引出口部２１はガイド溝２０の位置に位置されていることが好ましい。
【００１５】
前記網体７の先端部を可動框９に固定する手段として、図５の（ａ）ないし（ｂ）に示すように網体７の先端部には袋部２８が形成され、この袋部２８に芯材（抜け止め材ともいう）２９が挿入されてこれが前記可動框９に固定されている。具体的には、網体７の先端部は、補強のために折り返されて縫製糸３０ａにより図の上下方向に連通した袋状に縫製されており、この袋部２８を利用して芯材２９が挿入されている。芯材２９は、例えばアルミパイプからなっているが、ある程度の剛性を有する棒状であれば材質は問わない。
【００１６】
前記網体７の両側縁部（図では上下縁部）は、ガイド溝２０から抜けるのを防止するために図５の（ａ）ないし（ｃ）に示すように折り返されて縫製糸３０ｂにより長手方向（図では左右方向）に連通した袋状に縫製され、袋部３１，３１が形成されている。図１ないし図６に示すように上枠材１８ａ及び下枠材１８ｂのガイド溝２０内には抜け止めガイド棒２２がガイド溝２０内の略中央部から両縦枠材１８ｃ，１８ｄ近傍に向って片持ち梁状に設けられ、収納部８から網体７を引き出してロール式網戸６を閉める時に網体７の両側部の袋部３１，３１に抜け止めガイド棒２２，２２に挿通されるようになっている。
【００１７】
また、網体７の先端部が上下方向に弛んで網体７の先端側に部分的に皺が寄るのを防止するために、網体７の先端側両端部（図示例では上下両端部）が前記可動框９の両端部（同、上下両端部）に固定されている。具体的には、可動框９の両端部には、例えば合成樹脂製の端部キャップ２３が取付けられ、それぞれの端部キャップ２３には図６に示すように網体７の先端側端部を挟んで固定する一対の挟持片２４ａ，２４ｂが設けられている。両挟持片２４ａ，２４ｂの対向面には網体７の滑り止めのために互いに係合する凹凸部２５が形成されている。
【００１８】
前記可動框９は、例えばアルミニウム押出形材からなり、内部には網体７の先端部の芯材２９を長手方向から収容保持する横断面略Ｃ字状の保持部２６と、網体７の先端部を収容部２６に引入れるスリット部２７と、連動軸１３を挿通収容する中空部３２とが形成されている。ピニオン１２の軸方向の移動を許容しつつ回転を伝えるために、連動軸１３の外周には軸方向にキー溝が設けられ、ピニオン１２のボス部に形成された軸孔の内周にはキー溝４０に係合するキーが突設されている。ピニオン１２は、施工誤差を吸収し得るように端部キャップ２３に対して軸方向に所定量例えば４ｍｍ程度移動可能に支持されており、ピニオン１２のボス部には、ガイド溝２０の溝縁部２０ａに沿って摺動自在に係合する環状溝４２が設けられている。
【００１９】
ところで、可動框９の両端にピニオン１２を配置し、両ピニオン１２を連動軸１３で連結したものにおいては、万が一、片方のピニオン１２が例えばごみを噛んで動かなくなった時に無理に可動框９を動かそうとしたり、或いは可動框９の片側に通常の操作以上の強い衝撃を加えたりして、一方のピニオン１２に無理な力が加わり、ギヤのずれが発生する場合がある。ギヤのずれ（歯飛び）が発生すると、可動框９が開閉方向に対して垂直の状態から傾斜し、見栄えが悪くなるとともに遮蔽性能が低下する。
【００２０】
そこで、前記ギヤのずれを直して可動框９を垂直状態に復帰させるために、図４に示すように前記ラック１１における可動框９の全開側停止位置近傍と全閉側停止位置近傍の何れか一方または両方（本実施例では、全開側停止位置近傍）にはピニオン１２の噛合を解除してピニオン１２の回転を許容するスペースである切欠部（噛合解除部ともいう）４０が設けられている。この切欠部４０の寸法ｔは、網戸全開時に可動框９が収納部８に当接して停止した時のピニオン１２の位置から網戸閉側に所定寸法例えば５ｍｍ程度であることが好ましい。ギヤずれを起して可動框９が傾斜すると、両ピニオン１２，１２がラック１１，１１に噛み合っているため、可動框９をその位置で元の垂直状態に復帰させることは困難である。
【００２１】
そこで、可動框９を傾斜状態のままで全開側停止位置（収納部に当接して停止する位置）まで移動させる。可動框９の傾斜で一方のピニオン１２が他方のピニオン１２よりも収納部８側に接近していて先行するため、その先行する一方のピニオン１２が先にラック１１の端部から離脱して切欠部４０に移動し、当該一方のピニオン１２の回転が自由になる。当該一方のピニオン１２の回転が自由になると、他方のピニオン１２がラック１１上を転動して収納部８側に移動することができ、これにより可動框９を傾斜状態から元の垂直状態に復帰させることができる。なお、実施例では、切欠部４０は、ラック１１における可動框９の全開側停止位置近傍に設けられているが、全閉側停止位置近傍に設けられていても良く、或いは両方に設けられていても良い。両方に設ける場合は、ラックの両端部を短くすれば良い。
【００２２】
以上の構成からなる開口部装置１ないしロール式網戸（ロール式遮蔽装置）６によれば、ロール式網戸６が、巻取可能な網体７と、該網体７を巻取って収納する収納部８と、該網体７を前傾収納部８から引き出し入れする可動框９と、該可動框９の両端部を摺動自在に案内する案内部１０，１０と、それぞれの案内部１０，１０に設けられたラック１１，１１と、それぞれのラック１１，１１に噛合するピニオン１２，１２と、前記可動框９に沿って回転自在に支持され前記両ピニオン１２，１２を連結する連動軸９とを備え、前記ラック１１における可動框９の全開側停止位置近傍と全閉側停止位置近傍の何れか一方または両方にピニオン１２の回転を許容する切欠部４０を設けているため、一方のピニオン１２に無理な力が加わりギヤのずれが発生して可動框９が傾斜した場合、可動框９を全開側停止位置または全閉側停止位置まで移動することにより可動框９を元の垂直状態に容易に復帰させることができる。
【００２３】
すなわち、一方のピニオン１２に無理な力が加わってギヤのずれが発生し、可動框９が傾斜したとしても、その傾斜した可動框９を網戸全開位置まで移動させ、先行する一方のピニオン１２をラック１１の端部の切欠部４０に移動せることにより、他方のピニオン１２の全開側へのラック１１上の転動を可能とし、もって、可動框９を元の垂直状態に容易に復帰させることができる。換言すれば、ギヤがずれてしまっても可動框９を全開側の収納部８の位置まで移動させて収納部８に当接させるだけで可動框９の姿勢を傾斜状態から収納部８と平行な元の垂直状態に自動的に戻すことができ、ギヤのずれを自動的に容易に修正することできる。このようにギヤのずれにより傾斜した可動框９を元の垂直状態に容易に復帰させることができるため、可動框９が傾斜することにより見栄えが悪くなったり、遮蔽性能が低下したりする問題を容易に解消することができる。
【００２４】
また、このようにギヤのずれを容易に修正することができるため、組立時に上下のラック１１，１１に対する上下のピニオン１２，１２の位置合わせをする必要がなく、組立性の向上が図れる。なお、前記可動框９の傾斜の向きは右側と左側の２通りであるため、何れの傾斜の向きにも対応できるように、上下の両ラック１１，１１の同じ側に切欠部４０，４０が設けられている。前記実施例では、前記ラック１１の可動框９の全開側停止位置近傍にピニオン１２の回転を許容する切欠部４０を設けている例が示されているが、前記ラック１１の可動框９の全閉側停止位置近傍にもピニオン１２の回転を許容する切欠部４０を設けるようにしても良い（図示省略）。このようにすれば、可動框９の開側及び閉側の両ストロークエンドでギヤのずれすなわち可動框９の傾斜を修正することができる。
【００２５】
以上、本発明の実施の形態を図面により詳述してきたが、本発明は前記実施の形態に限定されるものではなく、本発明の要旨を逸脱しない範囲での種々の設計変更等が可能である。例えば、本発明は、引違い窓だけでなく、片引き窓、縦辷り窓、障子が上下方向に開閉自在に設けられた上げ下げ窓等にも適用することが可能である。また、ロール式網戸（ロール式遮蔽装置）は横引きタイプだけでなく、縦引きタイプであっても良い。更に、前記実施の形態ではロール式網戸を２つ用いて両開き式に構成した例が示されているが、片引き式に構成したものであっても良い。また、ロール式網戸の収納部や案内部は、サッシ枠の枠体に一体形成ないし一体に設けられていても良い。
【００２６】
開口部装置としては、サッシとは別体で、ロール式網戸（ロール式遮蔽装置）のみからなっていても良い。ロール式遮蔽装置としては、ロール式網戸以外に、例えばロールスクリーン等であっても良い。また、遮蔽材としては、網や網体以外に、例えば布やスクリーン等であっても良い。可動框にはこれを任意の位置に停止させるための停止機構、或いは可動框を障子の戸先框に引掛ける係止機構が設けられていても良い。停止機構としては、例えば連動軸に歯車を設け、この歯車にストッパーを係合させるようにした歯車式が好ましいが、枠に対してゴム等の制動部材を押しつけて可動框を停止させる摩擦制動式であっても良い。
【００２７】
【発明の効果】
以上要するに本発明によれば、次のような効果を奏することができる。
【００２８】
（１）請求項１の発明によれば、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記ラックにおける可動框の全開側停止位置近傍と全閉側停止位置近傍の何れか一方または両方にピニオンの回転を許容する切欠部を設けているため、一方のピニオンに無理な力が加わりギヤのずれが発生して可動框が傾斜したとしても、可動框を全開側停止位置または全閉側停止位置まで移動することにより可動框を元の垂直状態に容易に復帰させることができる。
【００２９】
（２）請求項２の発明によれば、建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記ラックにおける可動框の全開側停止位置近傍と全閉側停止位置近傍の何れか一方または両方にピニオンの回転を許容する切欠部を設けているため、一方のピニオンに無理な力が加わりギヤのずれが発生して可動框が傾斜したとしても、可動框を全開側停止位置または全閉側停止位置まで移動することにより可動框を元の垂直状態に容易に復帰させることができる。
【図面の簡単な説明】
【図１】本発明の実施の形態を示す開口部装置の縦断面図である。
【図２】同開口部装置の横断面図である。
【図３】ロール式網戸の使用状態を示す横断面図である。
【図４】可動框が全開側停止位置にある時のピニオンとラックの構成を示す概略的説明図である。
【図５】網体を概略的に示す図で、（ａ）は正面図、（ｂ）は（ａ）のＡ−Ａ線断面図、（ｃ）は（ａ）のＢ−Ｂ線断面図である。
【図６】可動框の一端を概略的に示す斜視図である。
【符号の説明】
１  開口部装置
２  枠体
３ａ，３ｂ  障子
６  ロール式網戸（ロール式遮蔽装置）
７  網体（遮蔽材）
８  収納部
９  可動框
１０  案内部
１１  ラック
１２  ピニオン
１３  連動軸
４０  切欠部
【図１】
2004278071.tif 000003
【図２】
2004278071.tif 000004
【図３】
2004278071.tif 000005
【図４】
2004278071.tif 000006
【図５】
2004278071.tif 000007
【図６】
2004278071.tif 000008